(57)【特許請求の範囲】
【請求項１】
内視鏡と、
光源を有し上記光源を点灯させるための電池を収容する電池収容部と、
上記電池収容部に設けられ、上記電池と電気的に接続する充電接点部と、
上記光源を点灯させる位置と上記光源を消灯させる位置との間で切換え自在なスイッチと、
上記電池を充電するための充電手段と、
上記充電手段に設けられ、上記スイッチが上記光源を消灯させる位置にあるときに上記電池収容部と係合可能な保持手段と、
上記保持手段に設けられ、上記電池収容部が上記保持手段に係合したときに上記充電接点部に対して電力を供給可能な位置に配置された電源供給部と、
を有することを特徴とする内視鏡装置。
【請求項２】
内視鏡と、
光源を有し上記光源を点灯させる位置と上記光源を消灯させる位置との間で移動自在に上記内視鏡に設けられた電池収容部と、
上記電池収容部に設けられ、上記電池と電気的に接続する充電接点部と、
上記電池収容部に収容される電池を充電するための充電手段と、
上記充電手段に設けられ、上記電池収容部が上記光源を消灯させる位置にあるときに上記内視鏡を保持可能な保持手段と、
上記保持手段に設けられ、上記保持手段が上記内視鏡を保持したときに上記充電接点部に対して電力を供給可能な位置に配置された電源供給部と、
を有することを特徴とする内視鏡装置。
【発明の詳細な説明】
【０００１】
【発明の属する技術分野】
本発明は２次電池により光源を点灯させて内視鏡観察が可能な内視鏡装置に関する。
【０００２】
【従来の技術】
医療分野および工業用分野で広く用いられるようになった内視鏡は、診断あるいは検査対象部位が生体やプラント等の内部にあるので、対象部位を照明する必要がある。このため、一般的な内視鏡では、内視鏡の外部装置として光源装置を用意し、この光源装置内のランプの出射光を内視鏡に設けたライトガイドファイバに導光し、このライトガイドファイバで導光された照明光を挿入部先端の照明窓から出射し、診断あるいは検査対象部位を照明するようになっている。
【０００３】
上記内視鏡用光源装置は一般的には商用電源から供給される電源を利用して光源装置内部のランプを点灯させる。
【０００４】
これに対し、例えば、特開平１−４３１３３号公報や、未公開の出願中である特願平１１−４８６６９号の先行例には、電源に乾電池あるいは蓄電池を用いたバッテリ式光源装置を内視鏡操作部に着脱自在に取り付ける形式の内視鏡が提案されている。このようなバッテリ式光源装置を取り付ける形式の内視鏡は持ち運びが容易であるとともに、商用電源のない所での使用が可能なので、緊急時の使用などに適している。
【０００５】
【発明が解決しようとする課題】
前述のように充電可能なバッテリ型光源は蓄電池を用いた専用の充電器と接続して充電操作を行うことで繰り返し使用する。
【０００６】
しかし、蓄電池とランプを電気的に接続する点灯スイッチ部の操作と、上記蓄電池による充電操作が各々独立しており、ランプを点灯（即ち、蓄電池に電気的接続）したまま、充電操作を行うと、充電器からの充電電流がランプ側に流れ、ランプ切れ等の故障を引き起こしたり、あるいは充電器に接続しているにも拘わらず、充電器と蓄電池をつなぐ充電回路の切り替えを忘れると、充電が行われないことがあった。
【０００７】
（発明の目的）
本発明は上記課題に着目してなされたものであり、その目的とするところは、充電器を用いてバッテリ型光源の内部に設けた蓄電池を充電する際、充電する電流が誤ってランプに流れることのないようにした内視鏡装置を提供することにある。
【０００８】
【課題を解決するための手段】
請求項１に係る発明は、内視鏡と、光源を有し上記光源を点灯させるための電池を収容する電池収容部と、上記電池収容部に設けられ、上記電池と電気的に接続する充電接点部と、上記光源を点灯させる位置と上記光源を消灯させる位置との間で切換え自在なスイッチと、上記電池を充電するための充電手段と、上記充電手段に設けられ、上記スイッチが上記光源を消灯させる位置にあるときに上記電池収容部と係合可能な保持手段と、上記保持手段に設けられ、上記電池収容部が上記保持手段に係合したときに上記充電接点部に対して電力を供給可能な位置に配置された電源供給部と、を有することを特徴とする内視鏡装置である。
請求項２に係る発明は、内視鏡と、光源を有し上記光源を点灯させる位置と上記光源を消灯させる位置との間で移動自在に上記内視鏡に設けられた電池収容部と、上記電池収容部に設けられ、上記電池と電気的に接続する充電接点部と、上記電池収容部に収容される電池を充電するための充電手段と、上記充電手段に設けられ、上記電池収容部が上記光源を消灯させる位置にあるときに上記内視鏡を保持可能な保持手段と、上記保持手段に設けられ、上記保持手段が上記内視鏡を保持したときに上記充電接点部に対して電力を供給可能な位置に配置された電源供給部と、を有することを特徴とする内視鏡装置である。
【０００９】
例えば、充電操作が行われる際には、ランプの点灯・消灯を行うスイッチが消灯位置になるようにして、取り扱いミスによって充電電流が照明ランプに流れないようにしている。
【００１０】
【発明の実施の形態】
［第１の実施形態］
図１〜図６を参照して本発明の第１の実施形態に係る内視鏡装置について説明する。
【００１１】
（構成）
図１は内視鏡装置の全体を示す斜視図、図２は内視鏡の操作部と小型光源装置の外観図、図３は内視鏡装置の概略的な回路構成の説明図、図４は内視鏡装置とこの内視鏡装置を装着する充電ハンガの斜視図、図５はランプを消灯状態にして内視鏡装置を充電ハンガに装着した形態の説明図、図６は小型光源装置の充電接点部の詳細図である。
【００１２】
図１に示すように、内視鏡装置１は、内視鏡（内視鏡本体）２と、小型のバッテリ型光源装置３により構成されている。内視鏡２は、先端側から順次、先端部５、湾曲自在な湾曲部６、柔軟性を有する可撓部７を連接して構成した細長い挿入部８と、この挿入部８の基端部に連結された操作部９とを備える。
【００１３】
操作部９の末端部には接眼部１０が設けられている。操作部９の側部にはバッテリ型光源装置３を接続するライトガイド口金１１が設けられている。さらに操作部９の側部には鉗子挿入口１２、湾曲ノブ１３や吸引口金１４等が設けられている。鉗子挿入口１２には鉗子栓１５が取り付けられている。操作部９に配設された湾曲ノブ１３を回転操作し、上記挿入部８の湾曲部６を所望の方向に湾曲できるようになっている。
【００１４】
上記挿入部８の中には像を伝送するイメージガイドファイバ（図示せず）が挿通されている。このイメージガイドファイバの先端は対物レンズと共に上記先端部５の観察窓（図示せず）に臨む位置に固定されている。イメージガイドファイバの後端部分は上記接眼部１０に内蔵される接眼レンズ（図示せず）の結像位置に固定される。
【００１５】
図３で示すように、上記挿入部８及び操作部９にわたりその内部には照射光を伝送するライトガイドファイバ１６が挿通されており、このライトガイドファイバ１６の先端は上記先端部５に固定され、照明窓１７に近接対向している。ライトガイドファイバ１６の他端は操作部９に設けられた上記ライトガイド口金１１に固定されている。
【００１６】
上記バッテリ型光源装置３からの照明光はライトガイドファイバ１６を経て上記先端部５の照明窓１７より出射される。
【００１７】
上記挿入部８及び操作部９にわたりその内部には図示しないチャンネルが形成され、このチャンネルの先端は上記先端部５に固定されて開口している。チャンネルの他端は操作部９に設けられた吸引口金１４に接続されている。このチャンネルは図示しない吸引器と組み合わせて異物を吸引したり、図示しない内視鏡用処置具を挿通したりするときに使用される。
【００１８】
図２に示す如く、操作部９の側面に設けられたライトガイド口金１１の周囲には筒状の接続口金２１が同軸的に配設されている。接続口金２１の外周にはバッテリ型光源装置３の接続環２２が螺合する雄ねじ部２３が形成されている。筒状の接続口金２１の先端縁にはバッテリ型光源装置３の位置決めピン２４を嵌め込み係合させるためのピン受２５が形成されている。これらにより内視鏡２の操作部９に上記バッテリ型光源装置３を着脱自在に位置決め接続可能な接続部２６を構成している。また、上記ピン受２５の近縁部分には指標２７ａが付設されている。
【００１９】
バッテリ型光源装置３のケース本体（小型光源装置本体）３０には上記ライトガイド口金１１に被嵌し、かつ筒状の接続口金２１に嵌まり込む取付け部３１が設けられている。この取付け部３１は筒状の取付け部本体３２を有し、この取付け部本体３２の先端縁には装着位置決め用の指標２７ｂが付設され、上記位置決めピン２４はその指標２７ｂに対応した位置に設けられている。
【００２０】
筒状の取付け部本体３２の外周にはこれが嵌り込む接続口金２１の内周に押し当たって接するＯリング３３を嵌め込む溝３４が形成されている。さらに筒状の取付け部本体３２の外周には上記接続環２２が回転自在に設けられている。この接続環２２は取付け部本体３２の外周に形成した溝３５に嵌め込まれ、回転自在であるだけでなく、その溝３５の幅の範囲で軸方向への移動が可能である。また、接続環２２の内周には内視鏡側の接続口金２１の雄ねじ部２３に螺合する雌ねじ部３６が形成されている。
【００２１】
上記バッテリ型光源装置３は図２に示すように大きく分けて、内視鏡２の操作部９に着脱するための上記取付け部３１と、電池収納部３７と、電池残量表示部３８と、ランプ収納部３９から成り、全体が水密に構成されている。ケース本体３０の下部によって形成される上記取付け部３１とランプ収納部３９は前後方向へ同軸的に配置されると共に、図５で示す如く、丸みのある略Ｖ字状に構成されている。
【００２２】
上記ランプ収納部３９内にはランプ４１が設けられている。また、ランプ収納部３９の後部には開閉自在なランプ蓋４２が設けられ、このランプ蓋４２を開閉することによりランプ４１を着脱できるようになっている。ランプ４１の光出射側には図３で示すように照明光を内視鏡２のライトガイドファイバ１６の入射端に集光させるための集光レンズ４３が配設されている。
【００２３】
また、ケース本体３０の下部に位置する上記ランプ収納部３９の左右両側面には後述の充電器との接点となる充電接点部４５が露出して設けられている。
【００２４】
上記電池収納部３７には上記ランプ４１の電源となる充電式電池５１が内蔵されている。ランプ４１及び充電式電池５１を含む回路は図３で示すような構成であり、この回路には２通りの状態に設定できるスイッチ５２が設けられている。図３で示すスイッチ５２がＯＮの位置では充電式電池５１からランプ４１に電力の供給がなされる回路が形成され、このとき、ランプ４１が点灯する。また、スイッチ５２がＯＦＦの操作位置にあるときは充電式電池５１からランプ４１に電力を供給する回路が開放する状態となり、ランプ４１が消灯するとともに上記充電式電池５１は充電接点部４５に接続され、充電を待機する状態となる。
【００２５】
上記スイッチ５２の切り換えは、バッテリ型光源装置３を内視鏡２の操作部９に取り付けた状態で、ケース本体３０を上記操作部９のライトガイド口金１１の軸まわりに回動させることで行われる。このスイッチ切換え機構は、上記ケース本体３０の前面壁に軸受け孔５３を形成し、この軸受け孔５３に取付け部本体３２を嵌め込んで、上記取付け部３１に対して、上記ケース本体３０を回転自在に軸支すると共に、図５中実線で示すようにケース本体３０が内視鏡２の接眼部１０と平行な起立位置においてランプ４１がＯＦＦの状態となり、図５中点線で示すようにケース本体３０が内視鏡２の接眼部１０と直交する倒伏位置においてランプ４１がＯＮの状態となるように構成される。
【００２６】
また、バッテリ型光源装置３のケース本体３０を倒伏することによって行われるスイッチ５２の切換え操作において、倒伏するケース本体３０のＯＮ、ＯＦＦの位置は図示しないストッパ手段によってそれぞれ規制されるようになっている。
【００２７】
一方、上記充電接点部４５はランプ収納部３９の両側斜面に各々１つづつの接点を設けており、各接点が離れて設けられている。また、スイッチ５２がＯＦＦの状態において、その一方の接点が充電式電池５１のプラス電極と電気的に導通し、他方の接点がマイナス電極と電気的に導通するようになっている。つまり、充電接点部４５は図５中実線で示すように、ケース本体３０が内視鏡２の接眼部１０と平行な起立位置においてのみ、充電式電池５１に電気的に導通する。
【００２８】
上記内視鏡装置１は内視鏡２にバッテリ型光源装置３を接続した状態で、充電ハンガ６０に係留され、この係留状態で、充電式電池５１に充電がなされる。
【００２９】
上記充電ハンガ６０は上記バッテリ型光源装置３の充電式電池５１に充電を行う充電手段を構成する充電装置（充電器）であり、本実施形態では図４で示すように構成されている。充電ハンガ６０はバッテリ型光源装置３のケース本体３０を載せて保持するフック部６１と、このフック部６１が取り付けられた支柱６２とから成る。支柱６２は図４で示すようにスタンド式の足６３が付いているもののほか、壁掛け式など、用途に応じて適宜変えて良い。
【００３０】
上記フック部６１はランプ４１がＯＦＦ状態にあるときのみ、バッテリ型光源装置３の本体ケース３０の下部を係合・保持可能な凹状の保持部６４を有した支持片６５と、この支持片６５に間隔をおいて平行に配置した規制片６６を有している。保持部６４はケース本体３０を起立させたときの下底部形状に合わせて丸みのある略Ｖ字状に切り欠いた形状に形成されている。従って、保持部６４はバッテリ型光源装置３のケース本体３０を起立させたときにのみ、そのケース本体３０の下部を載せて保持できるが、ケース本体３０を倒したときにはケース本体３０の側面が邪魔で、凹状の保持部６４内にケース本体３０の下部を嵌め込んで載せることができない。
【００３１】
規制片６６はフック部６１に内視鏡２の操作部９を載せるときの装着位置を規制するものである。
【００３２】
この保持部６４の保持面上には上記バッテリ型光源装置３のケース本体３０を嵌め込んだとき、その充電接点部４５に対向位置するように電源供給部６７が設けられている。この電源供給部６７は図６で示すように、フック状に突出した突端に導電性のある電源ピン６８が設けられている。上記電源ピン６８には上記フック部６１や支柱６２にわたりその内部を通る導電ケーブル６９が接続されている。導電ケーブル６９は図示しない充電回路およびトランスを介して商用電源に接続可能なコンセント７０につながる。
【００３３】
図６を参照して、上記バッテリ型光源装置３の充電接点部４５の詳細な構成を説明する。図６（ａ）は充電ハンガ６０から内視鏡２を取り外したときの充電接点部４５の状態を示し、図６（ｂ）は充電ハンガ６０に内視鏡２を装着したときの充電接点部４５の状態を示す。
【００３４】
図６で示すように、充電接点部４５は電気的絶縁部材からなるランプ収納部３９の外装部材３９ａに形成した装着孔７１の中に摺動自在に設けられた導電素材から成る接点ピン７２と、上記接点ピン７２を外方へ向けて付勢するコイルばね７３と、上記接点ピン７２のフランジ部７４に隣接して外端側に位置して接点ピン７２に装着され、上記コイルばね７３の付勢力により接点ピン７２と外装部材３９ａの間を水密的にシールするパッキン部材７５と、接点ピン７２を収納する孔部分の隣に位置して配置された弾性変形可能な導電性のある接点用板ばね７６とから構成されている。接点用板ばね７６は上記充電式電池５１に電気的に導通されている。
【００３５】
上記コイルばね７３は接点ピン７２のフランジ部７４と内端側に設置されたばね受７７の間に介在して設置されている。上記ばね受７７は電気的絶縁部材からなり、このばね受７７には接点ピン７２の内端部分が貫通する挿通孔７８が形成されている。
【００３６】
また、上記ランプ収納部３９の外装部材３９ａの外表面に臨む装着孔７１の外端側開口部分は太径の凹部７９として形成され、この装着孔７１の外端開口部分は大きく開口している。
【００３７】
そして、充電ハンガ６０からバッテリ型光源装置３を取り外した図６（ａ）で示す状態ではコイルばね７３によって接点ピン７２の外端部分が外側に向けて凹部７９内に突き出すが、その突き出し外端は凹部７９内にのみ位置し、外装部材３９ａの外表面より外へ突き出すことがない関係に設定されている。従って、内視鏡２やバッテリ型光源装置３を取り扱う際、接点ピン７２に不用意に触れてしまう虞がない。
【００３８】
図６（ａ）で示す状態では、接点ピン７２の内端が、上記ばね受７７の挿通孔７８内に退避し、一方、接点用板ばね７６は上記ばね受７７の裏面に接合しており、接点ピン７２と接点用板ばね７６の両者は離間され、電気的に導通しない状態にある。
【００３９】
一方、バッテリ型光源装置３のケース本体３０を立て、上記充電ハンガ６０のフック部６１に保持させたときには、図６（ｂ）で示すように充電接点部４５が接点ピン７２に押し当たりその接点ピン７２を押し込む。そして、充電接点部４５が接点ピン７２に電気的に導通すると共に、接点ピン７２がばね受７７を越えて裏面にある接点用板ばね７６に押し当たり電気的に導通し、接点ピン７２が接点用板ばね７６に電気的に導通する状態になるようになっている。
【００４０】
上記電池残量表示部３８は上記電池収納部３７の外側面部に配設されており、図２に示すように複数の残量表示発光体８１により電池残量のレベル表示を行う。上記残量表示発光体８１は図示しない電圧検出回路および表示回路によりランプ４１の点灯とともに表示が開始される。
【００４１】
尚、上記残量表示発光体８１は電池電圧の変化に伴い発光体の点灯する個数を変えたり、輝度の明暗や色を変化させて表示しても良い。また、上記電池収納部３７の外表面に上記残量表示発光体８１の表示を明確化するためにレベルメーター等の図表８２を配置するようにしても良い。
【００４２】
（作用）
内視鏡装置１を使用する場合、まず内視鏡２の操作部９におけるライトガイド口金１１にバッテリ型光源装置３を接続する。つまり、ライトガイド口金１１にバッテリ型光源装置３の筒状の取付け部３１を被嵌すると共に接続口金２１に嵌め込むようにして押し込む。このとき、指標２７ａ，２７ｂの位置を合わせるようにして、バッテリ型光源装置３の取付け部３１に配設された位置決めピン２４と内視鏡２の接続口金２１に配設されたピン受２５とを係合する。このため、両者の接続位置が一義的に決まる。そして、接続口金２１の外周にある雄ねじ部２３にバッテリ型光源装置３の接続環２２を螺合することにより内視鏡２の操作部９にバッテリ型光源装置３が接続固定される。
【００４３】
そこで、内視鏡２で観察を行う際には図５の破線部で示すようにバッテリ型光源装置３のケース本体３０を倒し、スイッチ５２をオンの位置にすることで、ランプ４１を点灯させる。
【００４４】
観察終了後、あるいは使用中において、充電式電池５１の電池残量が僅かになったときは図５の実線部で示すようにバッテリ型光源装置３のケース本体３０を内視鏡２の接眼部１０に平行な向きに立て、スイッチ５２をオフの位置にすることでランプ４１を消灯させる。続いて、充電ハンガ６０のフック部６１に上記内視鏡２に接続されたバッテリ型光源装置３の下部分を掛ける。
【００４５】
すると、図５で示す如く、バッテリ型光源装置３の充電接点部４５とフック部６１の電源供給部６７が一義的に対向し、図６（ｂ）で示す如く、バッテリ型光源装置３の凹部７９内に電源ピン６８が係入する。さらに、内視鏡２およびバッテリ型光源装置３自体の重みにより接点ピン７２は押し上げられ、接点ピン７２の後端部が板ばね７６に接触する。このとき、充電電流が、電源ピン６８から接点ピン７２および板ばね７６を通って充電式電池５１に供給される。
【００４６】
充電式電池５１への充電は、図示しない充電回路で制御され、充電状態を自動的に感知して充電完了時には電源供給を停止する。
【００４７】
（効果）
本実施形態の構成によれば、ランプ点灯時は充電接点部４５と充電式電池５１との回路が形成されない。このため、たとえ充電接点部４５に外部から電気的な接触があってもランプ４１および充電式電池５１に外部電流が流れ込んだり、その逆に充電式電池５１から外部に電流が漏れることはない。
【００４８】
また、ランプ４１の消灯（充電式電池５１とランプ４１との回路が開放）と連動して充電式電池５１への充電回路が構成される。このため、操作を誤って充電電流がランプ４１に流れ込み、ランプ切れを起すことがない。
【００４９】
加えて、バッテリ型光源装置３のランプ４１を消灯状態（充電待機状態）にしなければ充電ハンガ６０に内視鏡装置１を掛けることができない構成にした。言い換えれば、充電ハンガ６０に掛かった状態では必ず正常に充電操作が行われるようにしたことで作業者の取り扱いミスによる充電し忘れを防止することができる。
【００５０】
内視鏡装置１を充電ハンガ６０から取り外した時、接点ピン７２と板ばね７６の電気的導通が自動的に絶たれるため、接点ピン７２に触れても漏電することがない。また、電気的導通が絶たれているため、使用後の内視鏡装置１を消毒液に浸漬した時に接点ピン７２を介して漏電することがない。
【００５１】
上記接点ピン７２は凹部７９内に引き込んでいるため、これには容易に触れることがない。このため、外部からの電気的接触を防止でき、結果として漏電防止となる。
【００５２】
上記２つの充電接点部４５をランプ収納部３９の両側に離れて配置したことにより両極に同時に電気的接触が行われることを防止でき、漏電防止がさらに確実なものとなる。
【００５３】
［第２の実施形態］
図７〜図９を参照して本発明の第２の実施形態に係る内視鏡装置について説明する。
【００５４】
（構成）
図７は第２の実施形態の小型光源装置およびこれの各種充電形態の全体図、図８は小型光源装置の回路切り換えスイッチの外観を示す側面図、図９は小型光源装置の概略的な回路構成の説明図である。
【００５５】
図７に示すように、本実施形態の小型光源装置９０は第１実施形態と同様、ケース本体（小型光源装置本体）３０の下部前端部に第１実施形態と同形状の取付け部３１を持ち、この取付け部３１は内視鏡２の操作部９におけるライトガイド口金１１に着脱自在である。
【００５６】
また、ケース本体３０には第１実施形態と同様、ランプ４１を収納するランプ収納部３９、充電式電池５１を収納する電池収納部３７、上記電池収納部３７の一側面に設けられた電池残量表示部３８が構成され、それらの配置も第１実施形態のものと略同等である。
【００５７】
上記小型光源装置９０における取付け部３１の反対側壁部には、ランプ４１を点灯させる回路の開閉と充電回路の開閉を行う釦操作式スイッチ９１のためのスイッチ釦９２が設けられている。上記スイッチ釦９２の端部には蓄電式充電アダプタ９５に装着する際、釦受け部９８に当接し、スイッチ釦９２が押し込まれるようにするためのスロープ１０１が形成されている。
【００５８】
上記スイッチ９１はスイッチ釦９２の押し込み位置によって回路が切り替わる。すなわち、図８で示すように、スイッチ釦９２が最も突き出した状態でランプ４１および充電回路のいずれの回路も開放状態になるように設定されている。
【００５９】
また、スイッチ釦９２が突き出したＯＦＦの状態からスイッチ釦９２が突き当たる終端位置まで押し込むと、ランプ収納部３９の下面に設けた充電接点部９３と光源装置内部の充電式電池５１とが電気的に導通する充電待機状態となると共にランプ４１への電源供給回路が絶たれる。
【００６０】
さらに、スイッチ釦９２の押圧をやめると、図８で示されるランプ点灯（ＯＮ）位置に弾性力を持って戻され、その位置にスイッチ釦９２が係止する。このランプ点灯位置はＯＦＦの位置と充電待機の位置の中間に位置する。このランプ点灯位置のときの回路は図９に示すように充電式電池５１とランプ４１が接続された状態となる。
【００６１】
このＯＮの位置からスイッチ釦９２を再度押圧すると、上記のような充電待機状態を経て、ＯＦＦの位置に戻る。
【００６２】
一方、蓄電式充電アダプタ９５は上記小型光源装置９０のケース下部を装着するための凹状の電源装着部９６を持ち、その電源装着部９６の内面側壁には上記小型光源装置９０の取付け部３１を位置決め係入する取付け部受け部９７と、上記小型光源装置９０のスイッチ釦９２を位置決め係入する釦受け部９８が形成されている。また、電源装着部９６の底面部には上記バッテリ型光源装置３を装着したとき、そのバッテリ型光源装置３の充電接点部９３と接触してそれに電気的に接続する電源供給接点９９が設けられている。
【００６３】
上記光源装着部９６の内寸法はこれに嵌め込む小型光源装置９０の下部に合わせてあり、取付け部受け部９７から釦受け部９８までの寸法が図８に示す小型光源装置９０のスイッチ釦９２が充電位置まで押し込まれたときの幅Ｘと略等しい寸法になっている。
【００６４】
上記蓄電式充電アダプタ９５の外側表面部には小型光源装置９０内の充電式電池５１の電池容量を検知・表示する表示部１０２が設けられており、上記光源装置９０内の電池の充電状態をモニタしたり、あるいは使用後の電池残量の確認ができるようになっている。
【００６５】
さらに、蓄電式充電アダプタ９５の内部には比較的大型の充電式電池１０３と、この充電式電池１０３から上記電源供給接点９９に電力を供給する回路が内蔵されている。この充電式電池１０３はそのアダプタ底部に設けられた充電接点部１０４に電気的に導通している。充電式電池１０３は上記表示部１０２の駆動電力を供給する一方、小型光源装置９０内の充電式電池５１の充電にも使用することができる。
【００６６】
上記蓄電式充電アダプタ９５とは別に充電アダプタ１０５が用意されている。この充電アダプタ１０５は上記蓄電式充電アダプタ９５と同様に構成した凹状の光源装着部９６を持ち、その内側面には取付け部受け部９７と釦受け部９８が成形され、光源装着部９６の底面部には電源供給接点部９９が設けられている。さらに、充電アダプタ１０５の外側面部には外部からの電源を取り込むためのインレット１０６が設けられ、このインレット１０６には後述の商用電源供給ケーブル１１１のコネクタ１１２や自動車電源供給ケーブル１１３のコネクタ１１４が着脱自在に接続できるようになっている。
【００６７】
上記商用電源供給ケーブル１１１の他端には交流電流を所望の直流電流に変換するＡＣ／ＤＣ変換コンセント１１５が設けられていて、ＡＣ／ＤＣ変換コンセント１１５は商用電源に接続されるようになっている。
【００６８】
また、自動車電源供給ケーブル１１３の他端には自動車のシガレットライタに接続可能な自動車電源用アダプタ１１６が設けられていて、自動車のバッテリからの電源供給も可能にしている。
【００６９】
上記各電源供給ケーブル１１１，１１３からの電力は充電アダプタ１０５内の充電式電池１１８を充電する他に電源供給接点９９を介して、光源装着部９６に装着した小型光源装置９０内の充電式電池５１に充電する電力としても使用される。
【００７０】
上記蓄電式充電アダプタ９５の下部は上記充電アダプタ１０５の光源装着部９６に取り付き装着される形状の嵌合部１１７として形成されており、この嵌合部１１７の底面に、上記充電アダプタ１０５の電源供給接点９９と接触して電気的に接続する上記電源供給接点１０４が設けられている。
【００７１】
（作用）
小型光源装置９０の充電式電池５１を充電する際には内視鏡２の操作部９から小型光源装置９０を取り外し、充電アダプタ１０５に装着する。この装着が行われると同時にスイッチ釦９２の先端のスロープ１０１が釦受け部９８に当接し、スイッチ釦９２が充電可能位置まで押し込まれ、ランプ４１が消灯し、次いで、充電式電池５１と充電接点部９３が接触し、その充電接点部９３と電源供給接点９９が電気的に導通する状態となる。つまり、充電式電池５１に充電可能な状態ではランプ４１には通電しない状態になる。
【００７２】
このとき、外部電源からの電力が供給されていない状態であれば、充電アダプタ１０５の内部の充電式電池１１８から充電電流が電源供給接点９９を経て充電接点部９３に供給され、充電式電池５１への充電が開始される。
【００７３】
また、外部電源から電力を供給する場合は、インレット１０６に商用電源供給ケーブル１１１を接続するか、自動車電源供給ケーブル１１３を接続するかによって外部電源からの電力の供給を行う。このとき、充電アダプタ１０５の内部の充電式電池１１８と、小型光源装置９０内部の充電式電池５１の充電が同時に行われる。
【００７４】
上記充電アダプタ１０５の小型軽量化を優先させる場合はその内部に充電式電池１１８を設けなくて良い。
【００７５】
何れの場合も小型光源装置９０の充電状態は表示部１０２にて表示される。この充電表示は電池の残容量の表示でもあるため、電池の容量チェック用としても使用することができる。
【００７６】
一方、商用電源のない場所で充電を行なう場合は、蓄電式充電アダプタ９５を用いることになる。上記蓄電式充電アダプタ９５は上記小型光源装置９０と同じように充電アダプタ１０５に装着可能であり、上記充電アダプタ１０５を用いてあらかじめ内部の充電式電池１０３を充電しておく。そして、小型光源装置９０の充電は蓄電式充電アダプタ９５の光源装着部９６に小型光源装置９０の底部を装着して行う。充電アダプタ１０５に装着した場合と同様に小型光源装置９０の充電接点部９３が電源供給接点９９に接触して電気的に導通する状態となり、充電電流は充電式電池１０３から小型光源装置９０の充電式電池５１に供給され、充電が行われる。充電状態の表示は、表示部１０２により行われる。
【００７７】
充電完了後に、蓄電式充電アダプタ９５から小型光源装置９０を取り外すと、自動的に充電式電池５１と電源供給接点９９の電気的接続は絶たれ、外部への漏電経路がなくなる。
【００７８】
（効果）
本実施形態によれば、充電器への装着と同時にランプが消灯し、続いて充電回路が自動的につながるので、第１の実施形態と同様の効果である充電操作時の取り扱いのミス防止が確実なものとなる。
【００７９】
また、内視鏡２の操作部９から小型光源装置９０を取り外した状態で充電操作を行うため、充電装置を比較的小型なものにすることができ、システム全体の持ち運び性を向上させることができる。また、光源装置単体で電池残量の確認をすることができるので、予備光源を複数用意する場合の充電管理が非常にし易くなる。
【００８０】
さらに、光源装置の外部からの電源を用いて、光源内部の電池残量を検出するようにしたので、光源内部の電池の余計な消耗を抑えることができる。電源として、商用電源および蓄電池の両方の使用が可能であり、適用の幅が広がる。
【００８１】
本発明は前述した各実施形態のものに限定されるものではない。また、ランプの消灯状態においてのみ、充電式電池と充電手段が充電可能な状態で接続される構成としては前述した各実施形態のものに限らず、機械的電気的に拘わらず、種々の手段を採用することができる。
【００８２】
上記各実施形態の説明によれば少なくとも以下に列記する事項及びその任意のものを組み合わせた事項のものが得られる。
【００８３】
＜付記＞
１．照明光を導光するためのライトガイド手段を有する内視鏡と、上記内視鏡に着脱自在で上記ライトガイド手段の光入射端部に供給する照明光を発光するランプ及び上記ランプを点灯させるための電源としての充電式電池を有するバッテリ型光源と、上記バッテリ型光源の充電式電池を充電するための充電手段を有した充電装置とを具備した内視鏡装置において、
上記ランプの消灯状態においてのみ、上記充電式電池と上記充電手段が充電可能な状態で接続される構成としたことを特徴とする内視鏡装置。
【００８４】
２．上記充電式電池と充電手段との電気的接続は、上記バッテリ型光源のランプの点灯・消灯を行うスイッチ手段を消灯位置にしたときのみ行われるようにしたことを特徴とする第２項の内視鏡装置。
【００８５】
３．上記の電気的接続は、バッテリ型光源が内視鏡に接続された状態で行われるようにしたことを特徴とする第２項の内視鏡装置。
【００８６】
４．上記の電気的接続は、バッテリ型光源を内視鏡から取り外した状態でのみ行われるようにしたことを特徴とする第２項の内視鏡装置。
【００８７】
５．上記充電手段は、上記バッテリ型光源の充電式電池とは別の充電式電池を有することを特徴とする第１項の内視鏡装置。
【００８８】
６．上記バッテリ型光源と上記充電式電池を有する充電手段の両方に対し、商用電源に接続される充電アダプタを接続可能とし、上記各々の充電式電池を充電するようにしたことを特徴とする第５項の内視鏡装置。
【００８９】
【発明の効果】
以上説明したように本発明によれば、内視鏡用光源装置のランプが消灯状態においてのみ、内視鏡用光源装置の充電式電池と充電手段が電気的に接続されるように、例えばランプの点灯・消灯を操作するスイッチ部が消灯位置にないと、内視鏡用光源装置内の充電式電池と充電手段が接触しないように構成したので、取り扱いミスにより充電電流がランプに流れ込み、ランプ切れなどの故障を引き起こすことがなくなる。
【図面の簡単な説明】
【図１】第１の実施形態の内視鏡装置の全体を示す斜視図。
【図２】上記内視鏡装置の内視鏡の操作部と小型光源装置の外観図。
【図３】上記内視鏡装置の概略的な回路構成の説明図。
【図４】上記内視鏡装置と内視鏡装置を装着する充電ハンガの斜視図。
【図５】上記内視鏡装置を充電ハンガに装着したときの形態の説明図。
【図６】上記内視鏡装置の小型光源装置の充電接点部の詳細図。
【図７】第２の実施形態の小型光源装置およびこれの各種充電形態の全体図。
【図８】上記小型光源装置の回路切り換えスイッチの外観を示す側面図。
【図９】上記小型光源装置の概略的な回路構成の説明図。
【符号の説明】
１…内視鏡装置、２…内視鏡（内視鏡本体）、３…バッテリ型光源装置、
８…挿入部、９…操作部、１０…接眼部、１１…ライトガイド口金、
３０…ケース本体（小型光源装置本体）、３１…取付け部、３７…電池収納部、４１…ランプ、４５…充電接点部、５１…充電式電池、５２…スイッチ、６０…充電ハンガ、６４…保持部。
【図１】
0003670915.tif 000002
【図２】
0003670915.tif 000003
【図３】
0003670915.tif 000004
【図４】
0003670915.tif 000005
【図５】
0003670915.tif 000006
【図６】
0003670915.tif 000007
【図７】
0003670915.tif 000008
【図８】
0003670915.tif 000009
【図９】
0003670915.tif 000010